(57)【要約】      （修正有）【課題】取替え式ダブルパイプペット用水飲み機の提供。【解決手段】一種の取替え式ダブルパイプペット用水飲み機で、挟んで固定したヘッド主体を含む。ヘッド主体上方のなかに水容器が接続されており、下方に二つの水飲みパイプが設けられており、挟んで固定する装置でペットの籠を固定する。その特徴について、ヘッド主体の下方の外側の水飲みパイプはネジ方式でヘッド主体の下に接続されており、ヘッド主体の下方の外側にはネジパイプがあり、外側水飲みパイプの上端にはビスで接続される。また占めるビスでヘッド主体下方のネジパイプを接続し、ヘッド主体下方のネジパイプを閉鎖することで、外側の水飲みパイプで水飲み、もしくは閉鎖状態ができるようにする。【選択図】図４
0003120239.tif 000002
【実用新案登録請求の範囲】
【請求項１】
一種の取替え式ダブルパイプペット用水飲み機で、以下が包括される、
一つにヘッド主体で、上方内で水容器への接続が設けられ、下方に二つの水飲みパイプが設けられ、当該水飲みパイプ内にはベアリングが仕込まれており、ヘッド主体の周りには数個の凸線がある。一つにはさみ固定装置で、パネルとはさみパネル固定で当該パネル内のふかいところにネジ孔および延伸したリングがあり、リングはヘッド主体に取り付けることができ、また当該のはさみ固定パネルではネジバーが突出しており、パネル内のネジ孔と結合でき、ペット籠を固定できる。その特徴、当該ヘッド主体下方の外側の水飲みパイプはネジ接続方式でヘッド主体の下方に接続でき、接続ヘッド主体下方の外側にはネジパイプがあり、当該の外側水のみパイプ上端にビスがあって相互接続ができる。また閉鎖したビスはヘッド主体下方のネジパイプに接続でき、ヘッド主体下方のネジパイプを閉鎖することで、飲み水パイプの開放あるいは閉鎖の目的を達することができる、ことを特徴とする、取替え式ダブルパイプペット用水飲み機。
【請求項２】
請求項１記載の取替え式ダブルパイプペット用水飲み機において、そのうちの当該はさみ固定装置のパネル面には数個の孔があり、壁面へのネジ接続に供している、ことを特徴とする、取替え式ダブルパイプペット用水飲み機。
【請求項３】
請求項１記載の取替え式ダブルパイプペット用水飲み機において、そのなかには当該はさみ固定装置の延伸リングの一端をサブリングにつなぎ、当該のサブリングをもう一方の内壁に設けた嵌めこみ槽とし、嵌めこみ槽に設けられた凸弁で、相対するリングの位置を凹槽に設置することで、凸弁を当該リングの凹槽にはめ込むことができる、ことを特徴とする、取替え式ダブルパイプペット用水飲み機。
【考案の詳細な説明】
【技術分野】
【０００１】
本考案は閉鎖あるいは開放可能な外側水飲みパイプの交換可能なダブルパイプペット水飲み機に関する。
【背景技術】
【０００２】
これまでの周知のペット用水飲み機はペットの比較的よい方式で水を提供し、環境の混乱や汚染、湿りを回避するもので、大部分のペット用水飲み機はいずれもモノパイプ式の水飲み機で、水飲み機はペットの籠の中に架設して水を供給する。もしペットが二匹以上いる場合、一匹が籠の中で、一匹が籠の外にいるとき、あるいはペットが直接かごの外に出てしまったとき、ペットの籠の外側のペットは水を飲むことができない。このためダブルパイプの水飲みパイプを製作し、パイプの一つを籠の中に、もう一つを籠の外に設置することで、ペットの水飲みに便宜をはかる。
【０００３】
図１、２の示すとおり、特許文献１記載の発明は、主にヘッド主体１を備えており、一リング２、はさみ固定装置３およびダブル水飲みパイプ４．５は、ヘッド主体１の下方から延伸している二つの水飲み４．５、水飲みパイプ４．５のなかにはベアリングが入っており、ヘッド主体１の上方は容器に接続できる。リング２でヘッド主体１につなぎ、当該はさみ固定装置３はパネル６の中の深くにあるネジ孔７に固定パネル８をネジ９で結合する。またリング２とパネル６は一体で、はさみ固定装置３でペット籠にあわせ、ダブル水飲みパイプ４、５の一つを内部に、もう一つを外部とし、ペットの水飲みに供する。その意味するところはペットの籠の内外で使用することにあるが、外側の水飲みパイプ５をもし頻繁に使用しない場合、以下のような欠陥が発生しやすい。
当該の外側水飲みパイプ５の中にはベアリング５１がはまっており、ペットがなめることで水が流れ出し、水を飲むことができるようになる。しかし突出した外の水飲みパイプ５について、もし頻繁に使用しない場合、頻繁にペットと絡まり、またペットの体に水飲みパイプ５のなかのベアリング５１が接触するため水が滲み出し、床をぬらし環境を汚染してしまう。当該の外側水飲みパイプ５は収納できず、閉鎖もできないので、飼い主は頻繁に環境の清浄にあたらねばならない。
外の水飲みパイプ５を頻繁に使用しない場合、内部に水がたまる。流動しない水には細菌や伝染病が発生しやすく、悪臭を放つほか、ペットがこれを飲むと病気になりやすい。
当該リング２は弾力性バインダーリングでヘッド主体に繋ぐ。もし大型のペットが猛烈な力で水飲みパイプ４、５をかんだ時、リングが緩んだりヘッド主体１から外れたりする。
【０００４】
特許文献２記載の特許は、図３の示すとおり、内外水のみパイプ４１、４２のダブルパイプが採用されている。内外のペットに飲み水を提供するものだが、同様に上述の欠陥が発生するものである。これに鑑み、本案の考案人は上述の問題点に基づいて開発に努力し、研究開発を進め、長年の製造、生産経験を累積することで、ついに上述の問題点を解決しうる創作を生み出すに至った。
【０００５】
【特許文献１】米国特許公告６５６１１２９Ｂ１号明細書
【特許文献２】台湾特許公告８５２０５１２８号明細書
【考案の開示】
【考案が解決しようとする課題】
【０００６】
本考案は一種の取替え式ダブルパイプペット用水飲み機で、そのもう一つの目的は頼まれるリングを提供することで、しっかりとヘッド主体を固定し、緩んだり抜けたちすることのないようにし、またリングによって裂ける損失を避けることにある。
【０００７】
本創作は一種の取替え式ダブルパイプペット用水飲み機で、それには以下が包括される、
一つにヘッド主体について、上方では水の容器に接続され、下方では二つの水飲みパイプが設けられており、当該水飲みパイプ内にはベアリングが入っており、当該ヘッド主体の周辺にはいくつかの凸状の線がある。
一つにはさみ固定装置があり、一枚のパネルとはさみ固定ボードで、当該パネルの深いところにネジ孔と延伸したリングがあり、リングはヘッド主体を挟むことができる。また当該のはさみ固定パネルからは一本のネジが突出しており、パネル内のネジ孔を結合させ、ペット籠のなかで固定できる。
【０００８】
その特徴、当該ヘッド主体下方の外側の水飲みパイプはネジで接続する方式でヘッド主体の下方に接続され、当該ヘッド主体下方の外側にはネジパイプがあり、当該の外側水飲みパイプの上端にはビスがあって相互に繋がるようになっている。またビスヘッドを閉じることでビスをヘッド主体下方のネジパイプに繋ぐことができ、ヘッド主体下方のネジパイプを締めることで、外側の水飲みパイプを開放または閉鎖する目的を達成することができる。
【課題を解決するための手段】
【０００９】
請求項１の考案は、一種の取替え式ダブルパイプペット用水飲み機で、以下が包括される、
一つにヘッド主体で、上方内で水容器への接続が設けられ、下方に二つの水飲みパイプが設けられ、当該水飲みパイプ内にはベアリングが仕込まれており、ヘッド主体の周りには数個の凸線がある。一つにはさみ固定装置で、パネルとはさみパネル固定で当該パネル内のふかいところにネジ孔および延伸したリングがあり、リングはヘッド主体に取り付けることができ、また当該のはさみ固定パネルではネジバーが突出しており、パネル内のネジ孔と結合でき、ペット籠を固定できる。その特徴、当該ヘッド主体下方の外側の水飲みパイプはネジ接続方式でヘッド主体の下方に接続でき、接続ヘッド主体下方の外側にはネジパイプがあり、当該の外側水飲みパイプ上端にビスがあって相互接続ができる。また閉鎖したビスはヘッド主体下方のネジパイプに接続でき、ヘッド主体下方のネジパイプを閉鎖することで、飲み水パイプの開放あるいは閉鎖の目的を達することができる、ことを特徴とする、取替え式ダブルパイプペット用水飲み機としている。
請求項２の考案は、請求項１記載の取替え式ダブルパイプペット用水飲み機において、そのうちの当該はさみ固定装置のパネル面には数個の孔があり、壁面へのネジ接続に供している、ことを特徴とする、取替え式ダブルパイプペット用水飲み機としている
請求項３の考案は、請求項１記載の取替え式ダブルパイプペット用水飲み機において、そのなかには当該はさみ固定装置の延伸リングの一端をサブリングにつなぎ、当該のサブリングをもう一方の内壁に設けた嵌めこみ槽とし、嵌めこみ槽に設けられた凸弁で、相対するリングの位置を凹槽に設置することで、凸弁を当該リングの凹槽にはめ込むことができる、ことを特徴とする、取替え式ダブルパイプペット用水飲み機としている
【考案の効果】
【００１０】
本考案は一種の取替え式ダブルパイプペット用水飲み機で、その主な目的は外側の水飲みパイプを開放と閉鎖式の両用とし、長く使わないときは外側のパイプを閉鎖することで、水滴による環境や衛生面への汚染を回避し、たまった水に細菌が繁殖することを避けることができる。
【考案を実施するための最良の形態】
【００１１】
まず、本考案は一種の取替え式ダブルパイプペット用水飲み機で、図４から７で示したとおり、そこにはヘッド主体１０、はさみ固定装置２０、およびダブル水飲みパイプ２１,２２が包括される。当該ヘッド主体１０の上方内壁に内ネジ紋１０１があり、当該内ネジ紋１０１は外ネジ紋の容器に繋がる（ペットボトルなど）。これにより容器内の水をヘッド主体１０のなかに導きいれ、当該ヘッド主体１０の下方にダブル水飲みパイプ１１,１２がもうけられる。これに相対して各水飲みパイプ１１,１２の下方の各ネジ紋１１１,１２１はパイプ１１２、１２２につながり、当該パイプ１１２、１２１の内部にはそれぞれベアリング１１３、１２３が込められている。そのうち外側の水飲みパイプ１０の下方の外側にはネジパイプ１２が設けられ、当該外側水飲みパイプ１２の上端にはビス１２４がある。ビス１２４とネジパイプ１３はたがいに接続しあうもので、もう一つの閉鎖ビス３０（図８、９の示す通り）でネジをヘッド主体１０下方のネジパイプ１３に接続し、ヘッド主体１０下方のネジ管１３で閉鎖するものとし、当該ヘッド主体１０のまわりには数個の凸線１４がある。
【００１２】
当該はさみ固定装置２０はパネル２１とはさみ固定パネル２５で当該パネル２１の中の深いところにネジ孔２２と延伸したリング２３があり、リング２３は柔軟性のあるバインダーリングでヘッド主体１０に繋がる。当該リング２３には凹槽２３１とヘッド主体の凸線１４が互いにかみ合い、リング２３の一端を柱２３２のサブリング２４に繋ぐことで、リング２４は活動ができ、当該サブリング２３はもう一つ内壁に嵌めこみ槽２４１を設けることで、嵌めこみ槽２４１内に凸２４２を設ける。凸２４２があり、凸２４２は当該リング２３の端部分の凹槽２３３に繋ぎとめ、当該はさみ固定ボード２５の凸でネジバー２５１をパネル２１内のネジ孔２２に繋ぐことができ、挟んでペット籠を固定することで、はさみ固定パネル２５とパネル２１のあいだにはクッション２６があり、当該クッション２６には数個の凸柱２６１をパネル２１に設けた孔２１１、当該パネル２１両側に二つの孔２１２をもうけ、ペット籠を固定しない時、直接パネル面２１両側の孔２１２でネジを占めて壁面に接続する。
【００１３】
上述の構造にもとづき、本考案は一種の取替え式ダブルパイプペット用水飲み機であり、第一の実施方式は図４から７で示したとおり。はさみ固定装置２０のパネル２１とはさみ固定パネル２５でペット籠の上に固定する時、はさみ固定装置２０のリング２３でヘッド主体１０を挟む。当該リング２３に凹槽２３１とヘッド主体１０の凸線１４と互いにかみ合うものである。またサブリング２４はその嵌めこみ槽２４１および凸２４２でリング２３の凹槽２３３で結合し、はさみ固定装置２０とヘッド主体１０は結合しており、水飲みパイプ１１は内側（ペット籠の内側）に向いており、水飲みパイプ１２は外側（ペット籠の外側）に向いており、ペットに内外で飲み水を与えることができる。この実施方式はヘッド主体１０の下方外側のネジパイプ１３に水飲みパイプ１２をつなぐものである。
【００１４】
もう一つの実施方式は図８、９の示す通りで、閉鎖方式となっており、ヘッド主体１０の下方外側のネジパイプ１３にビス３０を接続する。当該ビスヘッド３０の一端は閉鎖されており、内には内ネジ紋１０１がありヘッド主体１０下方外側のネジパイプ１３に繋がっている。封鎖ネジパイプ１３について、外側の水飲みパイプ１２を長期間使用しないとき、外側の水飲みパイプ１２を取り外し、ビス３０に変えることで閉鎖ビスヘッド１３とし、水がここから流れ出さないようにし、水滴が落ちて床をぬらしたり、環境を汚染したりすることがないようにし、水がたまって細菌が繁殖することのないようにする。
【００１５】
本考案では外側の水飲みパイプ１２を水飲み用に開放、あるいは外側の水のみパイプ１２でビス３０を交換して閉鎖するにあたって、ペットの飼い主はこれの使用の変更は必要に応じて決定する。
また、リング２３の一端をサブリング２４に繋ぐことで、比較的大きなペットが強力に水飲みパイプ１１,１２をかんだ場合でもヘッド主体１０に固定でき、緩んだり抜け落ちたりすることはない。また当該リング２４あるいはサブリング２４は裂けることによる傷を起こさない（周知のリングは湾曲し裂けやすい）。
【図面の簡単な説明】
【００１６】
【図１】米国特許第６５６１１２９Ｂ１号のペット水のみ器の垂直分解図
【図２】米国特許第６５６１１２９Ｂ１号のペット水のみ器の水平分解図
【図３】台湾特許第８５２０５１２８号のペット水のみ器の平面図
【図４】本考案の立体分解図
【図５】本考案の立体組み合わせ図
【図６】本考案の水平分解図
【図７】本考案の垂直分解図
【図８】本考案のもう一つの立体分解図
【図９】本考案のもう一つの実施方式の垂直分解図
【符号の説明】
【００１７】
１  ヘッド主体
２  リング
３  はさみ固定装置
４  水飲みパイプ
５  水飲みパイプ
６  パネル
７  ネジ孔
８  はさみ固定パネル
９  ネジバー
４１  内側水飲みパイプ
４２  外側水飲みパイプ
１０  ヘッド主体
１０１  内ネジ紋
１１  水飲みパイプ
１１１  ネジ紋
１１２  円パイプ
１１３  ベアリング
１２  飲み水パイプ
１２１  ねじ紋
１２２  円パイプ
１２３  ベアリング
１２４  ビス
１３  ネジパイプ
１４  凸線
２０  はさみ固定装置
２１  パネル
２１２  孔
２２  ネジ孔
２３  リング
２３１  凹槽
２３２  柱
２３３  凹槽
２４  サブリング
２４１  嵌めこみ槽
２４２  凸弁
２５  はさみ固定パネル
２５１  ビス
２６  クッション
２６１  凸柱
３０  ビス
【図１】
0003120239.tif 000003
【図２】
0003120239.tif 000004
【図３】
0003120239.tif 000005
【図４】
0003120239.tif 000006
【図５】
0003120239.tif 000007
【図６】
0003120239.tif 000008
【図７】
0003120239.tif 000009
【図８】
0003120239.tif 000010
【図９】
0003120239.tif 000011
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
一種の取替え式ダブルパイプペット用水飲み機で、以下が包括される、
一つにヘッド主体で、上方内で水容器への接続が設けられ、下方に二つの水飲みパイプが設けられ、当該水飲みパイプ内にはベアリングが仕込まれており、ヘッド主体の周りには数個の凸線がある、一つにはさみ固定装置で、パネルとはさみパネル固定で当該パネル内のふかいところにネジ孔および延伸したリングがあり、リングはヘッド主体に取り付けることができ、また当該のはさみ固定パネルではネジバーが突出しており、パネル内のネジ孔と結合でき、ペット籠を固定できる、その特徴、当該ヘッド主体下方の外側の水飲みパイプはネジ接続方式でヘッド主体の下方に接続でき、接続ヘッド主体下方の外側にはネジパイプがあり、当該の外側水のみパイプ上端にビスがあって相互接続ができる、また閉鎖したビスはヘッド主体下方のネジパイプに接続でき、ヘッド主体下方のネジパイプを閉鎖することで、飲み水パイプの開放あるいは閉鎖の目的を達することができる、ことを特徴とする、取替え式ダブルパイプペット用水飲み機。
【請求項２】
請求項１記載の取替え式ダブルパイプペット用水飲み機において、そのうちの当該はさみ固定装置のパネル面には数個の孔があり、壁面へのネジ接続に供している、ことを特徴とする、取替え式ダブルパイプペット用水飲み機。
【請求項３】
請求項１記載の取替え式ダブルパイプペット用水飲み機において、そのなかには当該はさみ固定装置の延伸リングの一端をサブリングにつなぎ、当該のサブリングをもう一方の内壁に設けた嵌めこみ槽とし、嵌めこみ槽に設けられた凸弁で、相対するリングの位置を凹槽に設置することで、凸弁を当該リングの凹槽にはめ込むことができる、ことを特徴とする、取替え式ダブルパイプペット用水飲み機。
【手続補正２】
【補正対象書類名】明細書
【補正対象項目名】０００９
【補正方法】変更
【補正の内容】
【０００９】
請求項１の考案は、一種の取替え式ダブルパイプペット用水飲み機で、以下が包括される、
一つにヘッド主体で、上方内で水容器への接続が設けられ、下方に二つの水飲みパイプが設けられ、当該水飲みパイプ内にはベアリングが仕込まれており、ヘッド主体の周りには数個の凸線がある、一つにはさみ固定装置で、パネルとはさみパネル固定で当該パネル内のふかいところにネジ孔および延伸したリングがあり、リングはヘッド主体に取り付けることができ、また当該のはさみ固定パネルではネジバーが突出しており、パネル内のネジ孔と結合でき、ペット籠を固定できる、その特徴、当該ヘッド主体下方の外側の水飲みパイプはネジ接続方式でヘッド主体の下方に接続でき、接続ヘッド主体下方の外側にはネジパイプがあり、当該の外側水のみパイプ上端にビスがあって相互接続ができる、また閉鎖したビスはヘッド主体下方のネジパイプに接続でき、ヘッド主体下方のネジパイプを閉鎖することで、飲み水パイプの開放あるいは閉鎖の目的を達することができる、ことを特徴とする、取替え式ダブルパイプペット用水飲み機としている。
請求項２の考案は、請求項１記載の取替え式ダブルパイプペット用水飲み機において、そのうちの当該はさみ固定装置のパネル面には数個の孔があり、壁面へのネジ接続に供している、ことを特徴とする、取替え式ダブルパイプペット用水飲み機としている。
請求項３の考案は、請求項１記載の取替え式ダブルパイプペット用水飲み機において、そのなかには当該はさみ固定装置の延伸リングの一端をサブリングにつなぎ、当該のサブリングをもう一方の内壁に設けた嵌めこみ槽とし、嵌めこみ槽に設けられた凸弁で、相対するリングの位置を凹槽に設置することで、凸弁を当該リングの凹槽にはめ込むことができる、ことを特徴とする、取替え式ダブルパイプペット用水飲み機としている。